(57)【要約】 【課題】  本考案は、端子を重ね合わせて継電器の端子接続部に接続する作業を行うとき、端子の重ね合わせ面がずれないように固定できるようにした。【解決手段】先方をＹ字状、或いは銭型状とした平板部の基部をコードの先端を銜え込む筒状部とした端子において、前記平板部の平坦側に凸部と凸部の径に見合う小孔を横列に配して形成し、或いは前記平板部の両側に双股突片と、双股突片の隙間の対象位置に凸片を固定部として形成して成ることを特徴とした端子。【選択図】  図１
0003122740.tif 000002
【実用新案登録請求の範囲】
【請求項１】
先方をＹ字状、或いは銭型状とした平板部の基部をコードの先端を銜え込む筒状部とした端子において、前記平板部に固定部を設けたことを特徴とする端子。
【請求項２】
前記固定部を前記平板部の平坦側に凸部と凸部の径に見合う小孔を横列に配して形成したことを特徴とする請求項１に記載した端子。
【請求項３】
前記固定部を前記平板部の両側に双股突片と、双股突片の隙間の対象位置に凸片を形成して成ることを特徴とする請求項１に記載した端子。
【考案の詳細な説明】
【技術分野】
【０００１】
先方をＹ字状、或いは銭型状をした平板部とし、基部をコードの先端部を銜え込む部とした型式の端子の改良型を提供する分野に関するものである。
【背景技術】
【０００２】
電気機械に取り付けられた継電器、配電凾等に、電源から送電するために用いられる端子には先方をＹ字状、或いは銭型状とした平板部とし、基部をコードの先端を銜え込む部分とした型式として作られている。従って、この型式の端子のＹ字状、或いは銭型状とした平板部と、コードの先端を銜え込む部分とは、一面側は平坦面として、他面側は筒状を成して他面側は必然的に段差が生じる構成となる。
【０００３】
前記した型式の端子の中、先方をＹ字状２とした平板部３とし、基部をコード１０の先端を銜え込む筒状部４とした型式の端子１を継電器２０に接続する作業を行う場合には、図６に図示するように、継電器２０の端子接続部２１に穿設されたビス孔２２に、ビス３０の軸部の先端部をネジ込んだ状態、或いはネジ込む状態で、前記型式の端子１の先方の平板部２のＹ字状とした部分の双股部の間にビス３０の軸部を挟み込んだ状態とし、その状態下でビス３０を前記ビス孔２２にネジ込んで、ビス３０の頭部の下面と継電器２０の端子接続部２１の表面との間で、前記端子１のＹ字状２とした部分の平板部３を締め付けて固定し、前記型式の端子１と継電器２０に接続するものであった。
【０００４】
また、前記型式の中、先方を銭型状とした平板部の型式の端子を継電器に接続する作業を行う場合には図示しないが、継電器の端子接続部に穿設されたビス孔にネジ込むビスの軸部を、前記型式の端子の銭型部に差し込み、その状態でビスの軸部を前記ビス孔にネジ込んで、ビスの頭部の下面と継電器の端子接続部分の表面との間で前記端子の銭型状とした部分を締め付けて固定して前記型式の端子を継電器に接続するものである。
【０００５】
ところが、前記型式の端子の一個を以て前記継電器等との接続作業を行う場合には、従来通りの操作によって行えばよい。しかし、前記型式の端子の２つを、平坦とした平板部を重ね合わせて前記継電器に接続する作業を行う場合には、前記型式のＹ字状、或いは銭型状とした平板部が平坦面として形成されていることで滑りやすく、従って、作業を行う際、或いは作業中にずれてしまうこと、また基部が送電線としての長いコードの先端を銜え込んだ銜え込み部分となっているのでバランスがとりにくく、前記操作を行う間、平板部の重ね合わせ状態を維持しにくいこと、従って、前記型式の端子を二個重ねて前記作業を行う間、前記型式の端子がずれないように注意を集中しなければならないので、これまで前記作業を行うには作業能率が低下すると言う不都合が生じた。
【考案の開示】
【考案が解決しようとする課題】
【０００６】
本考案は前記した不都合を解消しようとして、前記不都合を生じないような前記型式の端子を提供しようとするものである。
【課題を解決するための手段】
【０００７】
先方をＹ字状、或いは銭型状とした平板部の基部をコードの先端を銜え込む筒状部とした端子において、前記平板部に固定部を設けたことを特徴とする端子。
【０００８】
前記固定部を前記平板部の平坦側に凸部と凸部の径に見合う小孔を横列に配して形成したことを特徴とする端子。
【０００９】
前記固定部を前記平板部の両側に双股突片と、双股突片の隙間の対象位置に凸片を形成して成ることを特徴とする端子。
【実施例１】
【００１０】
先方をＹ字状２、或いは銭型状５とした平板部３とし、基部をコードの先端を銜え込むコード銜え込み部とする筒状部４として形成する端子１は、細長平板の先方側をＹ字状、或いは銭型状に、基部側を幅広部として打ち抜いた平板とし、基部側の幅広部を両側から筒状となるように曲げてコードの銜え込みとしての筒状部４を形成してなるものである。
【００１１】
従って、前記した型式の端子１のＹ字状２、或いは銭型状５に形成した平板部３は平坦面となるが、基部側のコード銜え込みである筒状部４はＹ字状２、或いは銭型状５とした先方の平板部３より突出した凸部を構成した面となる。
【００１２】
本考案は、この点に着目して、先方をＹ字状２、或いは銭型状５とした平板部３とし、基部をコードの先端を銜え込み部である筒状部４とした端子の平板部３の平坦面に前記型式の端子１のＹ字状３、或いは銭型状５とした平板部３の平坦面を重ね合わせて、前記型式の端子を安定した状態で固定することができる固定部を平板部３に配した構成とした。
【００１３】
図１、図２に図示するように、その構成は、前記型式の端子１の先方にＹ字状２、或いは銭型状５を形成した平板部３の平坦面側に、該平板部３の対応辺間に突起６Ａとその突起６Ａと同径の小孔６Ｂを横並びに設けた構成とする。
【００１４】
この構成としたときは、それぞれの端子１のＹ字状、或いは銭型状を形成した平板部３を平坦面に向かい合わせることで、それぞれの端子１の突起６Ａと小孔６Ｂは合致して二個の端子１はずれを生ずることなく図３に図示するように安定した状態で固定されることになる。
【００１５】
図４に図示するように、或いは、前記型式の端子１のＹ字状、或いは銭型状を形成した平板部３の対象辺側の対象位置に、一方辺側には双股の凸部７Ａを、他方辺側には、その双股の凸部の双股間の対象位置に前記双股の凸部７Ａの双股間に嵌り込む凸部７Ｂを設ける構成とした。
【００１６】
この構成とし、それぞれの端子１の平板部３の平坦を合わせ、二個の端子１のそれぞれの双股凸部７Ａと双股の凸部の双股間に嵌り込む凸を嵌り込むことによって二個の端子はずれを生ずることなく図５に図示するように安定した状態で固定される。
【００１７】
これらの端子を以て、前記した継電器等との接続作業を行えば、従来のような不都合の生じるのを阻止し、作業能率を向上することができる。
【図面の簡単な説明】
【００１８】
【図１】平板部に突起とそれに見合う小孔を設けた２個のＹ型端子の平坦面を重ね合わせて、１組の端子に固定する状態を示す斜視図。
【図２】平板部に突起とそれに見合う小孔を設けた２個の銭型端子の平坦面を重ね合わせて、１組の端子に固定する状態を示す斜視図。
【図３】前記端子の固定部を合致させた状態の断面図。
【図４】平板の両側辺の対象位置に、一方の側辺には双股凸部を、他方の側辺には双股凸部の双股間に嵌り込む凸部を設けた２個の銭型端子の平坦面を重ね合わせて、１組の端子に固定する状態を示す斜視図。
【図５】上記端子を合致させた状態の断面図。
【図６】従来型の２個のＹ型端子を重ね合わせて継電器に接続する状態を示す斜視図。
【符号の説明】
【００１９】
１      端子  
２      Ｙ字状
３      平板部
４      筒状部
５      銭型状
６Ａ    突起
６Ｂ    小孔    
７Ａ    凸部
７Ｂ    凸部
【図１】
0003122740.tif 000003
【図２】
0003122740.tif 000004
【図３】
0003122740.tif 000005
【図４】
0003122740.tif 000006
【図５】
0003122740.tif 000007
【図６】
0003122740.tif 000008